(57)【要約】【課題】ロープソケットの取付作業時におけるバビットの詰め作業を一人で実施可能とする。【解決手段】台座４上の対向する位置に立設する支柱６ａ，６ｂと、ロープソケット１２の外側面を相反する方向から挟持するシュー１０ａ，１０ｂと、支柱６ａ，６ｂに固定されたばね８ａ，８ｂと、を有する。ばね８ａ，８ｂの先端には、シュー１０ａ，１０ｂが取り付けられている。ロープソケット１２への合金の詰め作業を行う際、シュー１０ａ，１０ｂを引き離してできた隙間から主ロープ１４をシュー１０ａ，１０ｂの間に通し、主ロープ１４を引き下ろすことで、主ロープ１４の先端に取り付けられたロープソケット１２がシュー１０ａ，１０ｂにより挟持される。【選択図】図１
2013147319.tif 000002
【特許請求の範囲】
【請求項１】
台座と、
前記台座上の対向する位置に立設する一対の支柱と、
ロープソケットの外側面を相反する方向から挟持する一対の挟持部材と、
それぞれの一端には前記一対の挟持部材のうちの一方が取り付けられ、それぞれの他端は前記一対の支柱それぞれの、前記一対の挟持部材が対向する位置に配設される位置に固定され、取り付けられた前記挟持部材を対向する他方の前記挟持部材を向けて付勢する一対の付勢手段と、
を有することを特徴とするロープソケット固定治具。
【請求項２】
請求項１に記載のロープソケット固定治具において、
前記一対の挟持部材の前記ロープソケットとの当接面には、前記ロープソケットの滑り落ち防止機構が形成されることを特徴とするロープソケット固定治具。
【発明の詳細な説明】
【技術分野】
【０００１】
本発明は、ロープソケット固定治具に関する。
【背景技術】
【０００２】
エレベータ装置の主ロープ（ワイヤロープ）を取り替える際、その主ロープの一端にロープソケットを取り付ける作業を行う。従来においては、この取付作業を次のようにしていた。
【０００３】
すなわち、ロープソケットの主ロープの通し穴からワイヤロープの一端を通した後、そのワイヤーロープの先端をループ状に折り曲げてワイヤロープがロープソケットから抜け落ちない状態にする。そして、ウォーターポンププライヤーやペンチ等でワイヤロープを持ちながらロープソケットの中にバビットを流し込み詰める。
【先行技術文献】
【特許文献】
【０００４】
【特許文献１】特開平６−４８６６８号公報
【特許文献２】実開昭５８−１４０９６３号公報
【発明の概要】
【発明が解決しようとする課題】
【０００５】
しかしながら、従来のロープソケットの取付作業のやり方では、ワイヤロープを固定する者とバビットを流し込む者との二人の作業者が必要であった。
【０００６】
本発明の目的は、ロープソケットの取付作業時におけるバビットの詰め作業を一人で実施可能とすることである。
【課題を解決するための手段】
【０００７】
本発明に係るロープソケット固定治具は、台座と、前記台座上の対向する位置に立設する一対の支柱と、ロープソケットの外側面を相反する方向から挟持する一対の挟持部材と、それぞれの一端には前記一対の挟持部材のうちの一方が取り付けられ、それぞれの他端は前記一対の支柱それぞれの、前記一対の挟持部材が対向する位置に配設される位置に固定され、取り付けられた前記挟持部材を対向する他方の前記挟持部材を向けて付勢する一対の付勢手段と、を有することを特徴とする。
【０００８】
また、前記一対の挟持部材の前記ロープソケットとの当接面には、前記ロープソケットの滑り落ち防止機構が形成されることを特徴とする。
【発明の効果】
【０００９】
本発明によれば、ロープソケットの取付作業時におけるバビットの詰め作業を一人で行うことができる。
【００１０】
また、挟持したロープソケットの滑り落ちをより確実に防止することができる。
【図面の簡単な説明】
【００１１】
【図１】本発明に係るロープソケット固定治具の一実施の形態を示した斜視図である。
【図２Ａ】図１に示したロープソケット固定治具のロープソケットを挟持していない状態の平面図である。
【図２Ｂ】図２Ａの正面図である。
【図３Ａ】図１に示したロープソケット固定治具のロープソケットを挟持している状態の平面図である。
【図３Ｂ】図３Ａの正面図である。
【発明を実施するための形態】
【００１２】
以下、図面に基づいて、本発明の好適な実施の形態について説明する。
【００１３】
図１は、本発明に係るロープソケット固定治具の一実施の形態を示した斜視図、図２Ａは、図１に示したロープソケット固定治具２のロープソケットを挟持していない状態の平面図、図２Ｂは、図２Ａの正面図、図３Ａは、図１に示したロープソケット固定治具２のロープソケット１２を挟持している状態の平面図、図３Ｂは、図３Ａの正面図、である。まず、これらの図を用いて本実施の形態におけるロープソケット固定治具２の構成について説明する。
【００１４】
本実施の形態におけるロープソケット固定治具２は、台座４と、一対の支柱６ａ，６ｂと、一対のばね８ａ，８ｂと、一対のシュー１０ａ，１０ｂと、で構成される。なお、ロープソケット１２を挟持するための支柱６ａ、ばね８ａ及びシュー１０ａから成る一方側の構成と、支柱６ｂ、ばね８ｂ及びシュー１０ｂから成る他方側の構成とは、同じ構造でよいため、各構成に共通する説明においては、特に必要がない限り「ａ」，「ｂ」という添え字を符号に付けずに説明する。
【００１５】
台座４の上面には、後述するロープソケット１２の挟持機構が形成される。台座４は、ロープソケット１２へのバビット（合金）の詰め作業時における転倒を防止するために重量のある素材で形成するのが好適である。あるいは、おもりを取付可能な構造としてもよい。
【００１６】
支柱６ａ，６ｂは、例えば図１に示したように、台座４の上面の対向する位置に立設されている。本実施の形態では、支柱６を平板形状で形成しているが、この形状に限定するものではなく、例えば、円筒形状でもよい。後述するように、本実施の形態においては、ばね８の付勢力によってロープソケット１２を挟持するが、支柱６は、この付勢力によって各支柱６ａ，６ｂが離れる方向に反らない素材又は形状で構成し、台座４に固定される。
【００１７】
ばね８ａ，８ｂのそれぞれの一端には、ロープソケット１２の外側面を相反する方向から挟持するための一対の挟持部材としてシュー１０ａ，１０ｂが取り付けられている。そして、ばね８ａ，８ｂの他端は、それぞれ支柱６ａ，６ｂの、シュー１０ａ，１０ｂが対向する位置に配設される位置に固定される。そして、ロープソケット１２の下面に設けられた通し穴から延出した主ロープ１４が、例えば、図１に示したようにロープソケット１２がロープソケット固定治具２に固定されたときに台座４の脇から逃がせるように、ばね８の台座４からの取付位置の高さを調整する。なお、本実施の形態では、付勢手段としてコイルばねを用いているが、それ以外の種類のばねあるいは他の部材を用いてもよい。
【００１８】
シュー１０の内側の表面は、２つのシュー１０ａ，１０ｂでほぼ円が形成されるように湾曲して形成される。これは、シュー１０の内側の面がロープソケット１２と当接する面となるので、ロープソケット１２と当接する面積を大きくしてロープソケット１２をより確実に挟持できるようにするためである。従って、湾曲の程度としては、ロープソケット１２との外側面のアール（曲がり具合）に近づけるほど好適である。ただ、外径の異なる複数種類のロープソケット１２に適用可能とするためには、シュー１０の曲がり具合を最も外径が大きいと考えられるロープソケット１２のアールに合わせるなどしてもよい。また、シュー１０のロープソケット１２との当接面には、ロープソケット１２の滑り落ち防止機構として１又は複数の溝を水平方向に形成する。あるいは、シュー１０の表面をブレーキシューと同じ素材（摩擦材）にて形成してもよいし、既存のブレーキシューを流用してもよい。
【００１９】
次に、ロープソケット１２の取付作業時において、本実施の形態におけるロープソケット固定治具２を用いたバビットの詰め作業について説明する。
【００２０】
ロープソケットの取付作業を行う１人の作業員が、その作業場所へロープソケット固定治具２を持ち込む。持ち込まれたときのシュー１０ａ，１０ｂは、図２Ａ，図２Ｂに示したようにばね８ａ，８ｂの付勢力により当接している。
【００２１】
作業員は、ロープソケット１２の主ロープ１４の通し穴から主ロープ１４の一端を通した後、主ロープ１４の先端部分をほどき、ループ状に折り曲げる。この状態で主ロープ１４を引っ張り下ろすと、折り曲げられた先端部分は、ロープソケット１２の通し穴の内径以上に拡げられていることからロープソケット１２の中の収容されるものの、その通し穴から抜け落ちない状態になる。
【００２２】
続いて、作業員は、当接しているシュー１０ａ，１０ｂを手などで引き離すことでシュー１０ａ，１０ｂの間に隙間を作り、その隙間に主ロープ１４を通す。なお、主ロープ１４を通した後は、シュー１０ａ，１０ｂから手を離してよい。そして、主ロープ１４を下方向に引っ張る。ロープソケット１２は、下方から上方に向けて外径が徐々に大きくなる円錐形状をしているので、その引っ張る力によりロープソケット１２の外側面でシュー１０は押され、ばね８は縮められる。このようにして、シュー１０ａ，１０ｂは、徐々に引き離される。そして、ロープソケット１２は、最終的には、図３Ａ，図３Ｂに示したようにシュー１０により挟持された状態になり、ロープソケット固定治具２に固定される。
【００２３】
作業員は、この状態のロープソケット１２にバビットを流し込み詰めることになるが、このとき、ロープソケット１２を人手により持つ必要がないので、仮にバビットがロープソケット１２からこぼれたとしても作業員にかかることはない。
【００２４】
以上説明したように、本実施の形態におけるロープソケット固定治具２を用いることで、１人の作業員だけでロープソケット１２を固定することができ、またバビットの詰め作業を行うことができる。
【００２５】
なお、上記説明においては、ロープソケット固定治具２にロープソケット１２を固定するためにばね８を用いた。このばね８は、上記の通り、人の手で引き離すことが可能であり、かつロープソケット１２を確実に固定できる付勢力を持つ仕様のものを用いる。また、本実施の形態では、ロープソケット１２の挟持機構としてばね８を用いたが、例えば万力を用いたり、ねじで締め付けることで固定してもよい。あるいは、少なくとも一方の支柱６（例えば、支柱６ｂ）を可動式（スライド式）として、ロープソケット１２を支柱６ｂにて挟み付けるような構造としてもよい。
【００２６】
また、ロープソケット固定治具２は、作業現場に持ち込まれ使用されるので、そのための便宜を図るような構造としてもよい。例えば、支柱６を台座４の裏面からねじ止めするように構成するなど組立式としてもよい。
【符号の説明】
【００２７】
２  ロープソケット固定治具、４  台座、６ａ，６ｂ  支柱、８ａ，８ｂ  ばね、１０ａ，１０ｂ  シュー、１２  ロープソケット、１４  主ロープ。
【図１】
2013147319.tif 000003
【図２Ａ】
2013147319.tif 000004
【図２Ｂ】
2013147319.tif 000005
【図３Ａ】
2013147319.tif 000006
【図３Ｂ】
2013147319.tif 000007